(57)【要約】【課題】接続されたＩＣレコーダーに対する設定が容易な撮像システムを提供すること。【解決手段】録音装置３００と、前記録音装置に接続され前記録音装置で集音された音声を動画音声として記録する撮像装置１０と、を含む撮像システム１において、前記撮像装置は、前記録音装置が前記撮像装置に接続されたことを検出する録音装置検出部と、音声記録時の前記撮像装置における複数の録音条件を設定する設定制御部と、前記設定された録音条件で音声を記録する音声記録制御部と、を備え、前記設定制御部は、前記録音装置検出部により前記録音装置の接続が検出された場合に、前記録音条件を前記録音装置に対応した録音条件に設定する。【選択図】図２Ａ
2019208131.tif 000002
【特許請求の範囲】
【請求項１】
録音装置と、前記録音装置に接続され前記録音装置で集音された音声を動画音声として記録する撮像装置と、を含む撮像システムにおいて、
前記撮像装置は、
前記録音装置が前記撮像装置に接続されたことを検出する録音装置検出部と、
音声記録時の前記撮像装置における複数の録音条件を設定する設定制御部と、
前記設定された録音条件で音声を記録する音声記録制御部と、を備え、
前記設定制御部は、前記録音装置検出部により前記録音装置の接続が検出された場合に、前記録音条件を前記録音装置に対応した録音条件に設定する
ことを特徴とする撮像システム。
【請求項２】
前記録音装置検出部は、前記撮像装置のラインイン入力部に前記録音装置から特定の信号が入力されたことを検知して、前記録音装置が前記撮像装置に接続されたと検出する
ことを特徴とする請求項１に記載の撮像システム。
【請求項３】
前記録音装置は、接続された前記撮像装置から所定の指示を受信した場合に、該録音装置のライン出力部から前記特定の信号を出力する
ことを特徴とする請求項２に記載の撮像システム。
【請求項４】
前記録音装置検出部は、前記撮像装置のホットシューに接続された前記録音装置と通信して、前記録音装置に前記ライン出力部から前記特定の信号を出力するよう要求する
ことを特徴とする請求項３に記載の撮像システム。
【請求項５】
前記設定制御部は、前記録音装置の接続が検出された場合には、前記録音条件として、録音調整、マイクリミッター、風切音及びマイクプラグインパワーの少なくとも１つを固定して設定する
ことを特徴とする請求項１に記載の撮像システム。
【請求項６】
前記設定制御部は、前記録音条件を設定するためのメニュー画面上で、前記固定して設定される録音条件を、他の録音条件と識別可能に表示する
ことを特徴とする請求項５に記載の撮像システム。
【請求項７】
前記設定制御部は、前記録音条件として、固定して設定される条件と変更可能な推奨条件を含む
ことを特徴とする請求項５に記載の撮像システム。
【請求項８】
前記設定制御部は、前記録音装置用の録音条件をまとめた録音装置用設定セットを記憶する記憶部から、前記録音装置用設定セットを読み出して、前記録音装置に対応した録音条件として、設定する
ことを特徴とする請求項１に記載の撮像システム。
【請求項９】
前記音声記録制御部は、前記録音装置で集音され前記ラインイン入力部から入力された音声信号をデジタル記録し、
前記録音装置は、前記録音装置で集音された音声を前記音声記録制御部よりも高音質でデジタル記録する
ことを特徴とする請求項１に記載の撮像システム。
【請求項１０】
前記撮像装置は、さらに、ライブビュー画像を表示する表示部を有し、前記録音装置の電池残量表示、録音可能時間又はマイク指向性情報のうち少なくともひとつのステータス情報を前記ライブビュー画像上に表示する
ことを特徴とする請求項１に記載の撮像システム。
【請求項１１】
前記撮像装置は、前記マイク指向性情報を撮影時の撮影画面または画角と関連付けて表示する
ことを特徴とする請求項１０に記載の撮像システム。
【請求項１２】
録音装置に接続され、前記録音装置で集音された音声を動画音声として記録する撮像装置における録音条件の設定方法であって、
前記設定方法は、
前記撮像装置のラインイン入力部に前記録音装置から特定の信号が入力されたことを検知し、
前記特定の信号が入力されたことを検知した場合に、前記録音装置が前記撮像装置に接続されたと検出し、
前記録音装置の接続が検出された場合に、前記録音条件を前記録音装置に対応した録音条件に設定し、
前記設定された録音条件で音声を記録する
ことを特徴とする撮像装置における録音条件の設定方法。
【請求項１３】
録音装置に接続され前記録音装置で集音された音声を動画音声として記録する撮像装置において、
前記録音装置が前記撮像装置に接続されたことを検出する録音装置検出部と、
音声記録時の録音条件を設定する設定制御部と、
前記設定された録音条件で音声を記録する音声記録制御部と、を備え
前記設定制御部は、前記録音装置検出部により前記録音装置の接続が検出された場合に、前記録音条件を前記録音装置に対応した録音条件に設定する
ことを特徴とする撮像装置。
【請求項１４】
撮像装置のコンピュータに、該撮像装置に接続された録音装置から入力された音声を動画音声として記録させるプログラムにおいて、
前記プログラムは、
前記撮像装置のラインイン入力部に前記録音装置から特定の信号が入力されたことを検知するステップと、
前記特定の信号が入力されたことを検知した場合に、前記録音装置が前記撮像装置に接続されたと検出するステップと、
前記録音装置の接続が検出された場合に、前記録音条件を前記録音装置に対応した録音条件に設定するステップと、
前記設定された録音条件で音声を記録するステップを含む
ことを特徴とするプログラム。
【発明の詳細な説明】
【技術分野】
【０００１】
本発明は、ＩＣレコーダーにより取得された音声を動画音声として記録する撮像システムに関する。
【背景技術】
【０００２】
デジタルカメラ、特にデジタル一眼カメラでは、動画よりも高画素で高品位な静止画画質が求められるため、通常の動画用カメラよりもはるかに大型の撮像素子が搭載される。一方、近年では動画においても、HD→FHD→４K→８Kと高画素化が急速に進みつつあり、高品位な画質を保つためには、撮像素子の大型化は必須である。この為、光学ファインダーを主とするデジタル一眼レフから電子ビューファインダーを主とするミラーレス一眼へと移行するにつれて、静止画撮影のみならず動画撮影に対する要望が強くなってきている。
【０００３】
他方、静止画撮影と異なり、動画撮影では、高品位な音の収録も重要な要素である。通常、デジタルカメラは自らがノイズ発生源でもあり、大きさの制限されたカメラの内蔵マイクならびにカメラ内蔵の音声処理回路では、高品位な音の収録の要望に応えることは容易でない。この為、通常はデジタルカメラに外部マイク入力端子を有し、高品位な音を採集できる専用の外部マイクの接続を可能にしている。
【０００４】
一方、ＩＣレコーダーと呼ばれる録音装置には、専用の高性能な音声処理回路と音声録音メモリを有する機種も少なくない。これらの高性能なＩＣレコーダーは、音楽ライブの記録や楽器練習時の確認用途などに使われているが、近年、この高品質録音機能をドキュメンタリーやバードウォッチングなどの動画作品の製作において使用したいという強い要望がある。そこで、デジタル一眼カメラに接続されて、接続されたデジタル一眼カメラに高音質音声データを供することができる録音装置も提案されている（特許文献１）。
【先行技術文献】
【特許文献】
【０００５】
【特許文献１】特開２０１７−３４４４０号公報
【発明の概要】
【発明が解決しようとする課題】
【０００６】
デジタルカメラの内蔵マイクとＩＣレコーダーでは、録音特性や録音条件に大きな相違があるので、ＩＣレコーダーで集音する場合には、そのＩＣレコーダーの仕様に合わせて、カメラの録音メニューの項目を最適な値に設定する必要がある。しかし、設定すべき録音条件の項目は、種々あり、設定にも時間がかかるため、ＩＣレコーダーの利用を妨げる要因ともなっている。
【０００７】
上記課題に鑑みて、本発明は、接続されたＩＣレコーダーに対する設定が容易な撮像システムを提供することを目的とする。
【課題を解決するための手段】
【０００８】
上記目的を達成するために、録音装置と、前記録音装置に接続され前記録音装置で集音された音声を動画音声として記録する撮像装置と、を含む撮像システムにおいて、前記撮像装置は、前記録音装置が前記撮像装置に接続されたことを検出する録音装置検出部と、音声記録時の前記撮像装置における複数の録音条件を設定する設定制御部と、前記設定された録音条件で音声を記録する音声記録制御部と、を備え、前記設定制御部は、前記録音装置検出部により前記録音装置の接続が検出された場合に、前記録音条件を前記録音装置に対応した録音条件に設定する。
【発明の効果】
【０００９】
本発明によれば、接続されたＩＣレコーダーに対する設定が容易な撮像システムを提供することができる。
【図面の簡単な説明】
【００１０】
【図１】本発明の実施形態に係る撮像システムの構成を示す図である。
【図２Ａ】撮像システムの主として電気的構成を示すブロック図である。
【図２Ｂ】システム制御部の機能構成を示すブロック図である。
【図３】ホットシューの端子配置の例を示す図である。
【図４】システム制御部のハードウェア構成例である。
【図５】撮像システムによる処理全体を説明するメインのフローチャートである。
【図６】ホットシュー装着検出処理のサブルーチンである。
【図７】ラインイン入力検出処理のサブルーチンである。
【図８】ＩＣレコーダー装着処理その１のサブルーチンである。
【図９】ＩＣレコーダー用セット有効処理のサブルーチンである。
【図１０】グレーアウト処理等されたメニュー画面の例である。
【図１１】グレーアウト処理のサブルーチンである。
【図１２】「ＩＣレコーダー用セット」ライン接続なし処理のサブルーチンである。
【図１３】ＩＣレコーダー装着処理２のサブルーチンである。
【図１４】各フラグをまとめた表である。
【図１５】ライブビュー表示処理のサブルーチンである。
【図１６Ａ】ＩＣレコーダーステータス表示処理のサブルーチンである。
【図１６Ｂ】ＩＣレコーダーステータス表示処理のサブルーチンである。
【図１７】ＩＣレコーダー緊急給電処理のサブルーチンである。
【図１８】電池残量表示メニューの例である。
【図１９】表示部に表示されるライブビュー画像の例である。
【図２０】カメラバッテリー情報とＩＣレコーダーバッテリー情報の表示内容を説明する表である。
【図２１】指向性連動警告アイコンの内容を説明する表である。
【図２２】ＩＣレコーダーのマイクの指向性グラフの例である。
【図２３】スレートトーン処理（その１）を説明するサブルーチンである。
【図２４】スレートトーン処理（その１）の「Ｏｎ１」の処理を示すタイミングチャートである。
【図２５】スレートトーン処理（その１）の「Ｏｎ２」の処理を示すタイミングチャートである。
【図２６】スレートトーン処理（その２）を説明するサブルーチンである。
【図２７】スレートトーン処理（その２）の「Ｏｎ２」処理を示すタイミングチャートである。
【図２８】動画撮影処理のサブルーチンである。
【図２９】録音レベル調整メニューの例である。
【図３０】マイク入力リミッターの設定メニューの例である。
【図３１Ａ】ＩＣレコーダー接続時に、各条件を設定するメニューの例である。
【図３１Ｂ】ＩＣレコーダー接続時に、各条件を設定するメニューの例である。
【発明を実施するための形態】
【００１１】
以下、図面に従って本発明の実施形態を説明する。図１は、本実施形態に係わる撮像システム１の構成を示す図ある。撮像システム１は、カメラ１０とＩＣレコーダー３００から構成されるシステムである。ここで、カメラ１０は、カメラ本体１００とレンズ部２００からなる一眼レフデジタルカメラとして示す。なお、カメラ１０は、レンズ固定式のカメラであってもよい。
【００１２】
ＩＣレコーダー３００は、音声データをメモリに記憶する録音装置である。カメラ本体１００の上部に備えられた外部フラッシュ取付用のホットシュー１３０に、ＩＣレコーダー３００が装着される。そして、カメラ本体１００の右側面に備えられた音声入力用のラインイン入力部１２５とＩＣレコーダー３００がケーブルで接続され、ＩＣレコーダー３００集音された音声が、カメラ本体１００に入力される。
【００１３】
カメラ本体１００の上面には、操作部１１９として、レリーズボタン１１９ａ、撮影モードダイヤル１１９ｂが配置されている。また、カメラ本体１００の背面には、表示部１２０（不図示）が配置される。以上の構成により、ＩＣレコーダー３００で集音された音声がＩＣレコーダー３００で記録され、同時に、カメラ１０で動画用音声として記録される。なお、カメラ１０は撮像装置とも呼び、ＩＣレコーダー３００は録音装置とも呼ぶ。
【００１４】
図２Ａは、撮像システム１の主として電気的構成を示すブロック図である。レンズ部２００は、撮影レンズ２０１、絞り機構２０２、液晶絞り２０３及び手ブレ補正レンズ２０４を有する。
【００１５】
撮影レンズ２０１は、被写体像を結像させるための光学系である。撮影レンズ２０１は、ズーム光学系やフォーカス調整系を含んでもよい。絞り機構２０２及び液晶絞り２０３は、被写体光束の入射量を調整するものである。手ブレ補正レンズ２０４は、カメラ１０に生じた手ブレを打ち消すように光軸に垂直な方向に移動するものである。
【００１６】
また、レンズ部２００は、手振れ補正制御部２０５、液晶絞り制御部２０６、絞り制御部２０７、レンズ制御部２０８、手振れ検出部２０９、操作部２１０及び通信制御部２１１を有する。
【００１７】
手振れ補正制御部２０５は、手振れ量に応じて手ブレ補正レンズ２０４を光軸に垂直な方向への移動を制御する。透過率を変更する液晶絞り制御部２０６は、被写体光束の入射量調整のため、カメラ本体１００からの指示に応じて、液晶絞り２０３を制御する。同様に、絞り制御部２０７は被写体光束の入射量調整のため、カメラ本体１００からの指示に応じて、絞り機構２０２の開口量を制御する。ただし、絞り機構２０２は駆動音を発生する為、動画撮影中は無音の液晶絞り２０３で光量が調整される。
【００１８】
レンズ制御部２０８は、カメラ本体１００からのズーム移動やフォーカス調整の指示に応じて、撮影レンズ２０１に含まれる所定のレンズを移動させる。手振れ検出部２０９は、レンズ部２００に加わる手ブレ量を検出する。操作部２１０は、レンズ部２００に設けられたフォーカスのマニュアル調整ボタン等である。通信制御部２１１は、レンズ部２００とカメラ本体１００との通信を制御する。
【００１９】
カメラ本体１００は、システム制御部１０１を有する。システム制御部１０１は、カメラ１０及びカメラ本体１００を統括的に制御する制御部である。例えば、システム制御部１０１は、ＣＰＵ（Central Processing Unit：中央処理装置）等を含むＡＳＩＣ（Application Specific Integrated Circuit：特定用途向け集積回路）で構成される。システム制御部１０１は、後述する不揮発性メモリ１２２に記憶されている所定の制御プログラムを読み込み、各種シーケンスを実行する。
【００２０】
カメラ本体１００は、撮像部１０５、ＡＤ変換部１０６、画像処理部１０７及びメモリ１０８を有する。撮像部１０５は、いずれも不図示の、シャッタ１０５ａ、撮像素子１０５ｂ及び手振れ補正機構１０５ｃを有する。撮影レンズ２０１の光軸上に、シャッタ１０５ａおよび撮像素子１０５ｂが配置される。
【００２１】
シャッタ１０５ａは、撮影レンズ２０１によって形成される被写体像の光束に対して開閉を行うものであり、公知のレンズシャッタやフォーカルプレーンシャッタ等によって構成される。
【００２２】
撮像素子１０５ｂは、ＣＭＯＳイメージセンサやＣＣＤイメージセンサ等の二次元固体撮像センサであり、前面に配置されたベイヤ―配列のカラーフィルタと、このカラーフィルタに対応して配列されたフォトダイオード等の光電変換素子から構成される。各カラーフィルタとこれに対応する各光電変換素子から構成される画素群によって撮像領域が構成される。撮像素子１０５ｂは、撮影レンズ２０１により集光された光を各画素で受光し光電流に変換し、この光電流をコンデンサに蓄積し、アナログ電圧信号（画像信号）としてＡ／Ｄ変換部１０６に出力する。手振れ補正機構１０５ｃは、撮像素子１０５ｂを保持して、カメラ本体１００で発生した手振れをキャンセルする方向に移動する。
【００２３】
ＡＤ変換部１０６は、撮像素子１０５ｂで光電変換された画像信号をＡＤ変換して、画像データとして、メモリ１０８に出力する。メモリ１０８は、Ａ／Ｄ変換部１０６において得られた画像データや、画像処理部１０７において処理された画像データ等、各種データを一時的に記憶する。
【００２４】
画像処理部１０７は、メモリ１０８に一時記憶された画像データを読み出し、この画像データに対して、ホワイトバランス補正処理、同時化処理、色変換処理等の画像処理を行う。さらに、画像処理部１０７は、後述する外部メモリ１２１に記録する際に画像圧縮を行い、また外部メモリ１２１から読み出した圧縮された画像データの伸張を行う。
【００２５】
また、カメラ本体１００は、撮像駆動制御部１０９、レンズ通信部１１０、手振れ検出部１１１、露出制御部１１２、ＡＦ制御部１１３、ＰＣ通信部１１４、無線通信部１１５を有する。
【００２６】
撮像駆動制御部１０９は、撮像部１０５の各種動作制御及び駆動制御を行う。レンズ通信部１１０は、レンズ部２００の通信制御部２１１と通信して、カメラ本体１００とレンズ部２００間のデータ通信を制御する。手振れ検出部１１１は、カメラ本体１００の手ブレ量を検出する。
【００２７】
露出制御部１１２は、メモリ１０８に一時記憶された画像データを用いて被写体輝度を算出する。なお、専用の測光センサを用いて被写体輝度を算出するようにしても勿論かまわない。
【００２８】
ＡＦ（Auto Focus）制御部１１３は、メモリ１０８に一時記憶された画像データから高周波成分を抽出し、コントラスト値により合焦位置を検出する。ＰＣ通信部１１４は、接続されたＰＣ（Personal Computer）とカメラ本体１００との通信を制御する。ＰＣ通信部１１４は、例えば、ＵＳＢインターフェースである。無線通信部１１５は、外部機器との無線通信（例えば、無線ＬＡＮやブルートゥース（登録商標））を制御する。
【００２９】
また、カメラ本体１００は、ヘッドホン出力部１１６、電源部１１７、電源制御部１１８、操作部１１９、表示部１２０、外部メモリ１２１、不揮発性メモリ１２２、スピーカ１２３、内部マイク１２４、ラインイン入力部１２５、ホットシュー１３０及び外部機器制御部１３１を有する。
【００３０】
ヘッドホン出力部１１６は、ヘッドホンに音声信号を出力するものである。電源部１１７は、カメラ本体１００の各部の動作に必要な電力を供給する。電源部１１７は、例えば、２次電池等の電源電池で構成される。電源制御部１１８は、電源部１１７の電圧を所定電圧に制御して、各部へ電力を供給する。電源制御部１１８は、電源部１１７を構成する電池の電源電圧や残量検出を行う。
【００３１】
操作部１１９は、撮影者の指示を入力する入力手段である。操作部１１９は、前述したレリーズボタン１１９ａ、撮影モードダイヤル１１９ｂ、動画ボタン１１９ｃ、十字ボタン１１９ｄ、ＯＫボタン１１９ｅ、スレートトーン機能ボタン１１９ｆ、各種入力キー等の操作部材を含む。動画ボタン１１９ｃ、十字ボタン１１９ｄ、ＯＫボタン１１９ｅ及びスレートトーン機能ボタン１１９ｆは、カメラ本体１００の背面に配置される。
【００３２】
レリーズボタン１１９ａは、１ｓｔレリーズスイッチと２ｎｄレリーズスイッチの２段スイッチを有している。レリーズボタン１１９ａが半押しされると１ｓｔレリーズスイッチがオンとなり、半押しから更に押し込まれ全押しされると２ｎｄレリーズスイッチがオンとなる。１ｓｔレリーズスイッチがオンとなると、システム制御部１０１は、ＡＥ処理やＡＦ処理等撮影準備シーケンスを実行する。また２ｎｄレリーズスイッチがオンとなると、システム制御部１０１は、静止画の撮影シーケンスを実行し、撮影を行う。
【００３３】
動画ボタン１１９ｃは、動画撮影の実行を指示する。十字ボタン１１９ｄは、表示部１２０に表示されるメニュー画面等において項目や条件の選択を行い、ＯＫボタン１１９ｅは、選択された条件を確定させる。なお、十字ボタン１１９ｄは、上下左右ボタンの４つのボタンから構成されるが、以下では、上ボタン、下ボタン、左ボタン及び右ボタンと略して表記する。
【００３４】
表示部１２０は、ライブビュー表示や外部メモリ１２１に記録された撮影画像の再生表示を行い、さらに露出制御値等の表示や撮影モード等設定のためのメニュー画面の表示を行う。表示部１２０は、例えば、液晶モニタであるが、有機ＥＬ等のディスプレイでもよい。
【００３５】
外部メモリ１２１は、例えば、カメラ本体１００に着脱が自在な記憶媒体である。外部メモリ１２１には、画像処理部１０７において圧縮された画像データや、音声データおよびその付随データが記憶される。音声データは、動画音声として撮影画像と同期して記憶される。なお、画像データや音声データ等を記憶するための記憶媒体は、外部メモリ１２１に限らず、カメラ本体１００に内蔵のハードディスク等の記憶媒体であってもよい。
【００３６】
不揮発性メモリ１２２は、電気的に書き換え可能な不揮発性メモリである。不揮発性メモリ１２２には、カメラ１０の動作に必要な各種パラメータやシステム制御部１０１において実行される制御プログラムが記憶される。後述するホットシュー接続フラグ等の各フラグのデータは、不揮発性メモリ１２２に記憶される。
【００３７】
また、不揮発性メモリ１２２には、ＩＣレコーダー３００用の録音条件（録音調整、マイクリミッター等々）が記憶される。また、録音条件（録音調整、マイクリミッター等々）は、ＩＣレコーダー３００の種類に応じて、それぞれ記憶されてもよい。また、ＩＣレコーダー３００用の録音条件は複数あるので、これをまとめて録音装置用設定セットとして記憶されてもよい。
【００３８】
スピーカ１２３は、警告音や動画記録された音声を出力する。内部マイク１２４は、音声を集音するために、カメラ本体１００に内蔵されたマイクである。ラインイン入力部１２５は、ＩＣレコーダー３００や外部マイクから出力された音声信号を入力する入力部である。ラインイン入力部１２５には、外部マイク等の接続（挿入）を検出するためのラインインスイッチが設けられる。
【００３９】
カメラ本体１００は、フラッシュ発光部１２６、フラッシュ充電部１２７、内蔵フラッシュ制御部１２８を有する。フラッシュ発光部１２６は、例えば、キセノン（Ｘｅ）管等の発光管や反射傘を備える。フラッシュ発光部１２６は、内蔵フラッシュ制御部１２８から発光指示を受信して、フラッシュ充電部１２７のコンデンサに蓄積されたエネルギを利用して発光する。
【００４０】
フラッシュ充電部１２７は、フラッシュ発光部１２６の発光を行うに必要なエネルギを蓄積する。フラッシュ充電部１２７は、電圧を昇圧する昇圧回路や、昇圧された電圧でエネルギを蓄積するコンデンサを有する。内蔵フラッシュ制御部１２８は、フラッシュ充電部１２７における充電動作、およびフラッシュ発光部１２６における発光動作を制御する。
【００４１】
また、カメラ本体１００は、ホットシュー１３０と外部機器制御部１３１を有する。ホットシュー１３０は、前述の通り、外部フラッシュやＩＣレコーダー３００等の外部機器を取り付けるための取付台である。
【００４２】
外部機器制御部１３１は、ホットシュー１３０に装着された外部機器と通信して、外部機器を制御する。例えば、外部機器制御部１３１は、ホットシュー１３０に外部フラッシュが装着された場合には、外部フラッシュを制御する。また、外部機器制御部１３１は、ホットシュー１３０にＩＣレコーダー３００が装着された場合には、ＩＣレコーダー３００を制御する。
【００４３】
図３は、ホットシュー１３０の端子配置の例を示す図である。ホットシュー１３０には、Ｘ端子１３０ａ、ＴＸＤ端子１３０ｂ、ＲＸＤ端子１３０ｃ、ＰＷＳ端子１３０ｄ及びＳＴＲ端子１３０ｅが設けられる。
【００４４】
Ｘ端子１３０ａは、接続されたフラッシュに発光トリガーを出力する発光トリガー端子である。ＴＸＤ端子１３０ｂは、カメラ本体１００から接続された外部機器（外部フラッシュやＩＣレコーダー３００）へデータを送信するデータ送信端子である。ＲＸＤ端子１３０ｃは、接続された外部機器からのデータをカメラ本体１００が受信するデータ受信端子である。ＰＷＳ端子１３０ｄは、接続された外部機器に電源を供給する電源供給端子である。ＳＴＲ端子１３０ｅは、外部フラッシュが接続されたことを検出するフラッシュ接続検出端子である。
【００４５】
システム制御部１０１は、画像処理部１０７〜ラインイン入力部１２５、内蔵フラッシュ制御部１２８及び外部機器制御部１３１等と接続される。そして、システム制御部１０１は、撮影者が操作部１１９のいずれかの操作部材を操作すると、撮影者の操作に応じた各種シーケンスを実行する。
【００４６】
図２Ｂは、システム制御部１０１の機能構成を示すブロック図である。システム制御部１０１は、音声記録制御部１０１ａ、外部機器検出部１０１ｂ、設定制御部１０１ｃ、電池残量表示制御部１０１ｄ及びスレートトーン制御部１０１ｅを有する。
【００４７】
音声記録制御部１０１ａは、動画撮影時に音声記録を制御し、音声データを動画音声として外部メモリ１２１に記録する。音声記録制御部１０１ａは、内部マイク１２４、ラインイン入力部１２５から入力された外部マイクあるいはＩＣレコーダー３００からの音声信号を、音声データとして外部メモリ１２１に記録する。音声記録制御部１０１ａは、設定制御部１０１ｃで設定された録音条件等で音声処理し、所定の条件（サンプリング周波数、圧縮率等）でデジタル化して、外部メモリ１２１に記録する。
【００４８】
外部機器検出部１０１ｂは、カメラ１０に接続された外部機器の種類を検出する。具体的には、外部機器検出部１０１ｂは、ホットシュー１３０に装着された外部機器とホットシュー１３０の端子を介して通信して、外部機器の種類を検出する。外部機器検出部１０１ｂは、外部機器として、外部フラッシュあるいはＩＣレコーダー３００を特定する。加えて、外部機器検出部１０１ｂは、ラインイン入力部１２５にＩＣレコーダー３００のケーブルが接続された場合には、ICレコーダーの想定する使用上、ＩＣレコーダー３００が接続されたものと見なしてもよい。外部機器検出部１０１ｂの詳細は、図８のＩＣレコーダー装着処理（１）及び図１３のＩＣレコーダー装着処理（２）で、説明する。なお、外部機器検出部１０１ｂは、録音装置検出部とも呼ばれる。
【００４９】
設定制御部１０１ｃは、カメラ１０にＩＣレコーダー３００が接続された場合に、所定の録音条件をＩＣレコーダー３００用に設定する。すなわち、設定制御部１０１ｃは、不揮発性メモリ１２２からＩＣレコーダー３００用の録音条件を読出し、設定する。また、設定制御部１０１ｃは、ＩＣレコーダー３００用の録音条件で、固定される項目（パラメータ）については、メニュー画面をグレーアウト処理する。グレーアウト処理により、撮影者は、ＩＣレコーダー３００用の録音条件で、変更不可の項目を容易に理解できる。
【００５０】
電池残量表示制御部１０１ｄは、メニュー画面で選択された表示の種類に応じて、電池残量を表示する。表示の種類は、「電池残量％」、「電池残量に基づく動画撮影可能時間」または「『電池残量から換算した録音可能時間』又は『電池残量と記録メモリ残量から換算した時間』の少ない方の録音可能時間」等である。電池残量表示制御部１０１ｄについては、図１６Ａ、図１６Ｂで説明する。
【００５１】
スレートトーン制御部１０１ｅは、スレートトーンの発生を制御する。スレートトーンとは、同一音源で記録された２つの音声記録データを編集する際の同期を取るために、音声に重畳（挿入）される信号である。カメラ１０にＩＣレコーダー３００が接続された場合に、カメラ１０では、音声記録制御部１０１ａにより、ＩＣレコーダー３００で集音されラインイン入力部１２５から入力された音声信号が、動画音声データとして外部メモリ１２１にデジタル記録される。そして同時に、ＩＣレコーダー３００でも、集音された音声が外部メモリ３０８にデジタル記録される。撮影時に両音声データにスレートトーンを記録しておくことで、撮影後に、外部メモリ１２１の動画音声データをＩＣレコーダー３００の音声データに置き換えることが容易にできる。
【００５２】
図４は、システム制御部１０１のハードウェア構成例である。システム制御部１０１は、ＣＰＵ（Central Processing Unit）１０００、ＲＡＭ（Random Access Memory）１００２、ＲＯＭ（Read Only memory）１００４、入出力ＩＦ（Interface）１００６を有する。ＲＡＭ１００２によりメモリ１０８が構成される。ＲＯＭ１００４により不揮発性メモリ１２２が構成される。入出力ＩＦ（Interface）１００６には、ＰＣ通信部１１４や外部メモリ１２１等が接続される。ＣＰＵ１０００、ＲＡＭ１００２、ＲＯＭ１００４、入出力ＩＦ１００６は、バスライン１００８で接続される。システム制御部１０１は、ＲＯＭ１００４から制御プログラムを読込んだＣＰＵ１０００により実行されるソフトウェア処理によって、実現される。
【００５３】
図２Ａに戻る。ＩＣレコーダー３００は、システム制御部３０１、不揮発性メモリ３０２、操作部３０３、ＰＣ通信部３０４、無線通信部３０５、多チャンネルマイク３０６及びマイク処理部３０７を有する。
【００５４】
システム制御部３０１は、ＩＣレコーダー３００を統括的に制御するものである。例えば、システム制御部３０１は、ＣＰＵ（Central Processing Unit：中央処理装置）等を含むＡＳＩＣ（Application Specific Integrated Circuit：特定用途向け集積回路）で構成される。システム制御部３０１は、不揮発性メモリ３０２に記憶されている所定の制御プログラムを読み込み、各種シーケンスを実行する。
【００５５】
また、システム制御部３０１は、集音された音声を設定された記録モードで、後述する外部メモリ３０８にデジタル記録する。通常、ＩＣレコーダー３００は集音品質の良いマイク、風切音低減などのノイズ音低減音声処理、ズーム録音機能、ハイレゾ（High-Resolution）対応のリニアＰＣＭ録音機能など、カメラ１０に比べて格段に高機能で高音質な録音機能が搭載されている。
【００５６】
不揮発性メモリ３０２は、電気的に書き換え可能な不揮発性メモリであり、ＩＣレコーダー３００の動作に必要な各種パラメータを記憶する。また、不揮発性メモリ３０２は、システム制御部３０１において実行される制御プログラムを記憶する。
【００５７】
操作部３０３は、操作者の指示を入力する入力手段である。操作部３０３は、例えば、電源ボタン、録音ボタン、その他操作ボタンを含む。ＰＣ通信部３０４は、接続されたＰＣ（Personal Computer）とＩＣレコーダー３００との通信を制御する。ＰＣ通信部３０４は、例えば、ＵＳＢインターフェースである。無線通信部３０５は、外部機器とＩＣレコーダー３００との無線通信（例えば、無線ＬＡＮやブルートゥース（登録商標））を制御する。
【００５８】
多チャンネルマイク３０６は、集音のためのマイクであって、複数個のマイクから構成される。マイク処理部３０７は、多チャンネルマイク３０６で集音された音声信号を増幅等処理する。なお、システム制御部３０１は、マイク処理部３０７で処理された多チャンネルマイク３０６の各マイク信号を所定の比率でミックスすることで、多様な指向性を実現する。
【００５９】
また、ＩＣレコーダー３００は、外部メモリ３０８、スピーカ３０９、ライン出力部３１０、電源部３１１、電源制御部３１２及び通信制御部３１３を有する。
【００６０】
外部メモリ３０８は、例えば、ＩＣレコーダー３００に着脱自在に記憶媒体であり、音声データおよびその付随データが記憶される。なお、音声データ等を記憶するための記憶媒体は、着脱自在な外部メモリに限らず、ＩＣレコーダー３００に内蔵のハードディスク等の記憶媒体であってもかまわない。スピーカ３０９は、記憶された音声を再生する。ライン出力部３１０は、集音されアナログの音声信号を出力端子から外部装置（例えば、カメラ１０）に出力する。
【００６１】
電源部３１１は、ＩＣレコーダー３００の各部の動作に必要な電力を供給し、例えば、２次電池等の電源電池で構成される。電源制御部３１２は、電源部３１１の制御を行い、電源部３１１を構成する電池の電源電圧や残量を検出する。また、電源制御部３１２は、ホットシュー１３０を介して行われるカメラ本体１００からＩＣレコーダー３００へ供給される電源の切換えを制御するとともに、通信制御部３１３は、ホットシュー１３０を介して行われるカメラ１０との通信を制御する。
【００６２】
図５は、撮像システム１による処理全体を説明するメインのフローチャートである。図５の処理は、主にカメラ１０のシステム制御部１０１によって行われる。まず、処理全体の概要を説明する。
【００６３】
システム制御部１０１は、ホットシュー装着検出処理を行う（ステップＳ１０）。ホットシュー装着検出処理では、システム制御部１０１は、外部機器とホットシューを介した通信（ホットシュー通信とも呼ぶ）を行って、受信したデータから装着された外部機器を特定して、外部機器がＩＣレコーダー３００であるか否かを判断する。
【００６４】
システム制御部２３０は、ラインイン入力検出処理を行う（ステップＳ２０）。ラインイン入力検出処理では、システム制御部２３０は、カメラ１０のラインイン入力部１２５に外部マイク等が接続されているか否かを判断する。
【００６５】
システム制御部２３０は、ＩＣレコーダー装着処理を行う（ステップＳ３０）。ＩＣレコーダー装着処理では、システム制御部２３０は、ＩＣレコーダー３００の装着を検出した後に、ＩＣレコーダー３００用のカメラ設定を行う。
【００６６】
システム制御部２３０は、ライブビュー表示処理を行う（ステップＳ４０）。ライブビュー表示処理では、システム制御部２３０は、ＩＣレコーダーステータス表示処理やスレートトーン処理を行う。
【００６７】
システム制御部２３０は、動画ボタン１１９ｃがオンされたかを判断する（ステップＳ４２）。システム制御部２３０は、動画ボタン１１９ｃがオンされたと判断すると（ステップＳ４２のＹＥＳ）、動画撮影処理を行う（ステップＳ５０）。
【００６８】
システム制御部２３０は、動画ボタン１１９ｃがオンされていないと判断すると（ステップＳ５２のＮＯ）、１ｓｔレリーズがオンされたかを判断する（ステップＳ５２）。システム制御部２３０は、１ｓｔレリーズがオンされていないと判断する（ステップＳ５２のＮＯ）、ステップＳ１０に戻る。
【００６９】
システム制御部２３０は、１ｓｔレリーズがオンされたと判断すると（ステップＳ５２のＹＥＳ）、２ｎｄレリーズがオンされたかを判断する（ステップＳ５４）。システム制御部２３０は、２ｎｄレリーズがオンされていないと判断すると（ステップＳ５４のＮＯ）、ステップＳ１０に戻る。システム制御部２３０は、２ｎｄレリーズがオンされたと判断すると（ステップＳ５４のＹＥＳ）、静止画撮影処理を行う（ステップＳ５６）。
【００７０】
システム制御部２３０は、パワーオフ操作がされたかを判断する（ステップＳ５８）。システム制御部２３０は、パワーオフ操作がされていないと判断すると（ステップＳ５８のＮＯ）、ステップＳ１０に戻る。システム制御部２３０は、パワーオフ操作がされたと判断すると（ステップＳ５８のＹＥＳ）、終了処理を行う。
【００７１】
次に、上述したメイン処理の詳細を説明する。まず、ステップＳ１０のホットシュー装着検出処理を説明する。図６は、ホットシュー装着検出処理のサブルーチンである。
【００７２】
外部機器検出部１０１ｂは、外部機器制御部１３１によって、ホットシュー１３０による通信を行う（ステップＳ１００）。外部機器検出部１０１ｂは、通信結果によって、装着機器を判定する（ステップＳ１０２）。システム制御部１０１は、外部機器検出部１０１ｂによって、ホットシュー１３０に何も接続されていないかあるいは装着機器が不明と判定されると、ホットシュー接続Ｆｌａｇ＝０とする（ステップＳ１０４）。
【００７３】
システム制御部１０１は、通信結果により、ホットシュー１３０に外部フラッシュが接続されたと判定すると、ホットシュー接続Ｆｌａｇ＝１とする（ステップＳ１０６）。システム制御部２３０は、通信結果により、ホットシュー１３０にＩＣレコーダー３００が接続されたと判定すると、ホットシュー接続Ｆｌａｇ＝２とする（ステップＳ１０８）。
【００７４】
システム制御部１０１は、前回のホットシュー装着検出結果と比較して、ホットシュー接続Ｆｌａｇが変更したかを判断する（ステップＳ１１０）。システム制御部２３０は、ホットシュー接続Ｆｌａｇが変更していないと判断する（ステップＳ１１０のＮＯ）、ホットシュー状態変更Ｆｌａｇ＝０とする（ステップＳ１１２）。システム制御部２３０は、ホットシュー接続Ｆｌａｇが変更したと判断する（ステップＳ１１０のＹＥＳ）、ホットシュー状態変更Ｆｌａｇ＝１とする（ステップＳ１１４）。以上で、ホットシュー装着検出処理を終了して、図５のステップ２０に進む。
【００７５】
上述のように、ＩＣレコーダー３００の装着検出は、ＩＣレコーダー３００とカメラ１０の通信によって行われる。通信の方法としては、
（１）ホットシュー１３０のＵ−ＡＲＴ端子により、外部機器制御部１３１により通信を行う方法、
（２）ＵＳＢ端子などのＰＣ接続端子を介して、ＰＣ通信部１１４により通信を行う方法、
（３）Ｗｉ−Ｆｉなどにより、無線通信部１１５により通信を行う方法などがある。
上記の説明では、（１）の例を説明したが、（１）に限るものではなく、本実施例の通信を、適宜（２）、（３）に置き換えて良い。
【００７６】
次に、ステップＳ２０のラインイン入力検出処理を説明する。図７は、ラインイン入力検出処理のサブルーチンである。システム制御部２３０は、ラインイン入力部１２５のラインインスイッチがオンであるかを判断する（ステップＳ２００）。ラインイン入力部１２５の端子に外部マイクやＩＣレコーダー３００のケーブルが装着されると、ラインインスイッチがオンになる。
【００７７】
システム制御部２３０は、ラインインスイッチがオフであると判断すると（ステップＳ２００のＯＦＦ）、ラインイン状態Ｆｌａｇ＝０とする（ステップＳ２０２）。システム制御部２３０は、ラインインスイッチがオンであると判断すると（ステップＳ２００のＹＥＳ）、ラインイン状態Ｆｌａｇ＝１とする（ステップＳ２０４）。
【００７８】
システム制御部２３０は、前回のラインイン入力検出結果と比較して、ラインイン状態フラグが変更されたかを判断する（ステップＳ２０６）。システム制御部２３０は、ラインイン状態フラグが変更されていないと判断すると（ステップＳ２０６のＮＯ）、ラインイン状態変更Ｆｌａｇ＝０とする（ステップＳ２０８）。
【００７９】
システム制御部２３０は、ラインイン状態Ｆｌａｇが変更したと判断する（ステップＳ２０６のＹＥＳ）、ホットシュー状態変更Ｆｌａｇ＝１とする（ステップＳ２１０）。以上で、ラインイン入力検出処理を終了して、図５のステップ３０に進む。
【００８０】
次に、ステップＳ３０のＩＣレコーダー装着処理を説明する。ＩＣレコーダー装着処理は、ＩＣレコーダー３００の装着を検出した後に、ＩＣレコーダー３００用のカメラ設定を行う処理である。
【００８１】
また、ＩＣレコーダー装着処理として、２例を説明する。図８は、ＩＣレコーダー装着処理その１のサブルーチンである。システム制御部１０１は、ラインイン状態変更Ｆｌａｇを判定する（ステップＳ３００）。
【００８２】
システム制御部１０１は、ラインイン状態変更Ｆｌａｇ＝０であると判定すると、ホットシュー状態変更Ｆｌａｇを判定する（ステップＳ３０２）。システム制御部１０１は、ホットシュー状態変更Ｆｌａｇ＝０であると判定すると、本処理を終了して、図５のステップＳ４０に進む。システム制御部１０１は、ホットシュー状態変更Ｆｌａｇ＝１と判定すると、ステップＳ３０４に進む。
【００８３】
システム制御部１０１は、ラインイン状態変更Ｆｌａｇ＝１であると判定すると、ホットシュー接続Ｆｌａｇをチェックする（ステップＳ３０４）。システム制御部１０１は、ホットシュー接続Ｆｌａｇ＝０または１であると判定すると、本処理を終了して、図５のステップＳ４０に進む。前述のように、ホットシュー接続Ｆｌａｇ＝０はホットシュー１３０に何も装着されない場合で、ホットシュー接続Ｆｌａｇ＝１はホットシュー１３０に外部フラッシュが装着された場合である。
【００８４】
システム制御部１０１は、ホットシュー接続Ｆｌａｇ＝２であると判定すると、ラインイン状態Ｆｌａｇをチェックする（ステップＳ３０６）。前述のように、ホットシュー接続Ｆｌａｇ＝２は、ホットシュー１３０にＩＣレコーダー３００が装着された場合である。システム制御部１０１は、ラインイン状態Ｆｌａｇ＝０であると判定すると、本処理を終了して、ステップＳ４０に進む。これは、ホットシュー１３０にＩＣレコーダー３００が装着されているが、ラインイン入力部１２５には、何も接続されていない状態である。
【００８５】
システム制御部１０１は、ラインイン状態Ｆｌａｇ＝１であると判定すると、ホットシュー通信を行う（ステップＳ３０８）。システム制御部２３０は、外部機器制御部１３１によってホットシュー１３０に装着されたＩＣレコーダー３００と通信を行う。
【００８６】
具体的には、システム制御部２３０は、ＩＣレコーダー３００に、ライン出力部３１０から所定の「ピン」信号を出力するよう要求する。「ピン」信号とは、カメラ１０でＩＣレコーダー３００のライン出力部３１０がカメラ１０のラインイン入力部１２５に接続されている状態であることを検出し、システム制御部２３０が対応してＩＣレコーダー用セットを設定するための認証信号である。認証信号は、認証可能にするための特定周波数とか、振幅とか、波形の要素を持たせた信号である。図２Aでは便宜上ライン出力部３１０とラインイン入力部１２５は接続されているが、図１に示すように、ユーザーによってラインイン入力部１２５に接続されるものであり、必ずしもＩＣレコーダー３００が接続されている状態とは限らない。
【００８７】
なお、認証信号として、ＩＣレコーダー３００を認証し、それに対応するＩＣレコーダー用セットを設定するだけの信号だけでなく、さらに、この信号に最適に合わせると言うキャリブレーション機能を持たせるような構成にし、ＩＣレコーダー用セットを生成するように構成しても良い。
【００８８】
システム制御部１０１は、外部機器検出部１０１ｂによって、ラインイン入力部１２５で「ピン」信号を受信されたかを判断する（ステップＳ３１０）。
【００８９】
システム制御部１０１は、ラインイン入力部１２５で「ピン」信号を受信したと判断すると（ステップＳ３１０のＹＥＳ）、「ＩＣレコーダー用セット」を有効に設定する（ステップＳ３１２）。なお、この場合には、システム制御部１０１は、ＩＣレコーダーラインイン接続Ｆｌａｇ＝１とする。
【００９０】
システム制御部２３０は、ＩＣレコーダー用セット有効処理を行う（ステップＳ３１４）。「ＩＣレコーダー用セット有効処理」は、ＩＣレコーダー３００を使う前提のカメラセットである「ＩＣレコーダー用セット」を有効にする処理である。なお、有効・無効はメニューで手動でも設定できるので、「ピン」信号による自動検出システムに対応していないＩＣレコーダー３００でも対応できる。
【００９１】
図９は、ＩＣレコーダー用セット有効処理のサブルーチンである。設定制御部１０１ｃは、録音条件のうち、以下の条件をＩＣレコーダー３００用に設定する。以下の条件は、ＩＣレコーダー３００側で適切に設定されているからである。なお、前述のように、設定制御部１０１ｃは、不揮発性メモリ１２２から録音装置用設定セットを読み出して以下の設定をしてもよい。
【００９２】
設定制御部１０１ｃは、録音レベル調整（外部マイク）を「±０」に固定する（ステップＳ４００）。設定制御部１０１ｃは、マイク入力リミッターを「Ｏｆｆ」に固定する（ステップＳ４０２）。設定制御部１０１ｃは、風切音低減を「Ｏｆｆ」に固定する（ステップＳ４０４）。これらにより、録音レベルや録音割れを防止する録音リミット機能や風切音低減機能などはＩＣレコーダー３００側に一任される状態になる。また、ＩＣレコーダー３００がラインイン入力部１２５に接続されていることがわかっているので、外部マイクに電源を供給する必要がないと判断し、設定制御部１０１ｃは、マイクプラグインパワーを「Ｏｆｆ」に固定する（ステップＳ４０６）。固定された各メニューは、設定を変更することはできない。
【００９３】
設定制御部１０１ｃは、スレートトーンを「Ｏｎ１」に設定する（ステップＳ４０８）。設定制御部１０１ｃは、ＲＥＣ同期を「Ｏｎ」に設定する（ステップＳ４１０）。設定制御部１０１ｃは、固定メニューをグレーアウト処理する（ステップＳ４１２）。なお、スレートトーン及びＲＥＣ同期については、設定を変更することができる。また、ステップＳ４００〜ステップＳ４１０の処理の順番は、任意でよい。以上のように、いずれのユーザーにとっても、またいずれの撮影シーンにおいて有益な設定であるものはユーザーが不用意に設定を変更することがないように、グレーアウトで固定し、そうでないものは、推奨設定した後でユーザーが任意に変更可能なように処理される。
【００９４】
図１０は、グレーアウト処理等されたメニュー画面の例である。図１０のメニューＭＥ１は、メインメニュー画面でムービーメニューが選択された画面である。メニューＭＥ１で、最下段のムービー録音が選択され、十字ボタン１１９ｄの右ボタンがクリックされると、メニューＭＥ２に切換る。
【００９５】
メニューＭＥ２で、「Ｏｎ」が選択されるとムービーファイルに音声が付加される設定となり、「Ｏｆｆ」が選択されるとムービーファイルに音声が付加されない設定となる。メニューＭＥ２で「Ｏｎ」で右ボタンがクリックされると、「ムービー録音設定」の詳細設定画面に切換る。
【００９６】
メニューＭＥ３は、通常（例えば、内蔵マイク使用時）のムービー録音設定画面である。また、メニューＭＥ４は、ＩＣレコーダー３００が接続された場合の録音設定画面で、上述のグレーアウト処理された画面である。メニューＭＥ４に示すように、「録音レベル調整」メニューｔ１、「マイク入力リミッター」メニューｔ２、「風切音低減」メニューｔ３及び「マイクプラグインパワー」メニューｔ４が、グレーアウトで表示される。
【００９７】
また、メニューＭＥ４でＩＣレコーダー接続ｔ５が選択されると、ＩＣレコーダー接続のメニュー画面であるメニューＭＥ５に切換る。メニューＭＥ５では、設定制御部１０１ｃによって、「スレートトーン」メニューｔ１１と「ＲＥＣ同期」メニューｔ１２がそれぞれＯｎ１、Ｏｎに設定される。「スレートトーン」と「ＲＥＣ同期」の設定は、変更可能であるので、「スレートトーン」メニューｔ１１と「ＲＥＣ同期」メニューｔ１２は、グレーアウト処理はされない。
【００９８】
メニューＭＥ５の「マイク指向性連動」メニューｔ１３は、カメラ１０の画角にマイク指向性を連動するか否かの設定である。マイク指向性連動については、図１９等で後述する。「ＩＣレコーダー給電」メニューｔ１４は、カメラ１０からＩＣレコーダー３００への給電を行うか否かの設定である。ＩＣレコーダー給電については、図１７で後述する。
【００９９】
図１１は、グレーアウト処理のサブルーチンである。設定制御部１０１ｃは、「録音レベル調整」メニューｔ１をグレーアウトに表示する（ステップＳ４５０）。設定制御部１０１ｃは、「マイク入力リミッター」メニューｔ２をグレーアウトに表示する（ステップＳ４５２）。設定制御部１０１ｃは、「風切音低減」メニューｔ３をグレーアウトに表示する（ステップＳ４５４）。設定制御部１０１ｃは、「マイクプラグインパワー」メニューｔ４をグレーアウトに表示する（ステップＳ４５６）。なお、ステップＳ４５０〜ステップＳ４５６の処理の順番は、任意でよい。
【０１００】
図８のＳ３１０に戻る。システム制御部２３０は、ラインイン入力部１２５で「ピン」信号を受信していないと判断すると（ステップＳ３１０のＮＯ）、「ＩＣレコーダー用セット」ライン接続なし処理を行う（ステップＳ３１６）。ＩＣレコーダー３００がホットシュー１３０に装着されているが、ラインインには外部マイクが接続されているような場合である。この場合には、システム制御部１０１は、ＩＣレコーダーラインイン接続Ｆｌａｇ＝０とする。
【０１０１】
図１２は、「ＩＣレコーダー用セット」ライン接続なし処理のサブルーチンである。システム制御部２３０は、スレートトーンを「Ｏｎ２」に設定する（ステップＳ４６０）。スレートトーン「Ｏｎ２」については、図２５で後述する。
【０１０２】
次に、ＩＣレコーダー装着処理２を説明する。ＩＣレコーダー装着処理１では、ホットシュー１３０にＩＣレコーダー３００が装着された場合に、更にＩＣレコーダー３００がラインイン入力部１２５に接続されているかをピン信号で確認する処理をした。対して、ＩＣレコーダー装着処理２は、ホットシュー１３０にＩＣレコーダー３００が装着された場合には、ＩＣレコーダー３００がラインイン入力部１２５に接続されているとみなして、ＩＣレコーダー装着処理１を簡素化した処理を行うものである。
【０１０３】
図１３は、ＩＣレコーダー装着処理２のサブルーチンである。システム制御部１０１は、ホットシュー接続Ｆｌａｇをチェックする（ステップＳ４７０）。システム制御部１０１は、ホットシュー接続Ｆｌａｇ＝０または１と判定すると、本処理を終了する。システム制御部１０１は、ホットシュー接続Ｆｌａｇ２と判定すると、ＩＣレコーダー用セットを「有効」に変更し（ステップＳ４７２）、ＩＣレコーダー用セットの有効処理を行う（ステップＳ４７４）。ＩＣレコーダー用セットの有効処理は、図９で説明済であるので、詳細は省略する。なお、図６〜図８で説明した各フラグをまとめて図１４の表に示す。
【０１０４】
図５に戻る。システム制御部１０１は、ステップＳ３０のＩＣレコーダー装着処理の後、ライブビュー表示処理を行う（ステップＳ４０）。
【０１０５】
図１５は、ライブビュー表示処理のサブルーチンである。システム制御部１０１は、ＩＣレコーダーステータス表示処理を行う（ステップＳ５００）。
【０１０６】
図１６Ａ及び図１６Ｂは、ＩＣレコーダーステータス表示処理のサブルーチンである。なお、以下の処理では、システム制御部１０１は、ホットシュー１３０のＴＸＤ端子１３０ｂによりＩＣレコーダー３００にデータを送信し、ＲＸＤ端子１３０ｃによりＩＣレコーダー３００からデータを受信し、必要に応じてＰＷＳ端子１３０ｄによりＩＣレコーダー３００へ給電を行う。
【０１０７】
外部機器検出部１０１ｂは、外部機器制御部１３１により、ホットシュー通信を行う（ステップＳ６００）。システム制御部１０１は、外部機器検出部１０１ｂによって、外部機器としてＩＣレコーダー３００が検出されたかを判断する（ステップＳ６０２）。システム制御部１０１は、外部機器としてＩＣレコーダー３００が検出されないと判断すると（ステップＳ６０２のＮＯ）、ＩＣレコーダーステータス表示処理を終了する。
【０１０８】
システム制御部１０１は、外部機器としてＩＣレコーダー３００が検出されたと判断すると（ステップＳ６０２のＹＥＳ）、ＩＣレコーダー３００から、ＩＣレコーダー３００の電池残量（％）を取得する（ステップＳ６０４）。ＩＣレコーダー３００から送信される電池残量（％）は、ＩＣレコーダー３００の表示部（不図示）に表示される情報である。
【０１０９】
システム制御部１０１は、ＩＣレコーダー緊急給電処理を行う（ステップＳ６０６）。図１７は、ＩＣレコーダー緊急給電処理のサブルーチンである。システム制御部１０１は、ＩＣレコーダー給電メニューが設定されているかを判断する（ステップＳ６７０）。なお、ＩＣレコーダー給電の可否は、前述した図１０のメニューＭＥ５の「ＩＣレコーダー給電」メニューｔ１４で設定される。
【０１１０】
システム制御部１０１は、ＩＣレコーダー給電が設定されていると判断すると（ステップＳ６７０のＹＥＳ）、取得した電池残量（％）によって、ＩＣレコーダー３００の電池残量が限界値であるかを判断する（ステップＳ６７２）。限界値とは、例えば、電池残量が１０％以下の場合である。システム制御部１０１は、ＩＣレコーダー３００の電池残量が限界値であると判断すると（ステップＳ６７２のＹＥＳ）、ホットシュー１３０のＰＷＳ端子１３０ｄから給電を行う（ステップＳ６７４）。具体的には、電源制御部１１８が、ＩＣレコーダー３００に給電を行う。
【０１１１】
システム制御部１０１は、ＩＣレコーダー給電メニューが設定されていない（Ｏｆｆ）と判断すると（ステップＳ６７０のＮＯ）、ＰＷＳ端子１３０ｄからの給電を行わない（ステップＳ６７６）。同様に、システム制御部１０１は、ＩＣレコーダー３００の電池残量が限界値でないと判断すると（ステップＳ６７２のＮＯ）、ＰＷＳ端子１３０ｄからの給電を行わない（ステップＳ６７６）。
【０１１２】
図１６Ａに戻る。システム制御部１０１は、カメラ１０からＩＣレコーダー３００へ給電しているかを判断する（ステップＳ６０８）。ＩＣレコーダー３００がカメラ１０から給電されていない場合には（ステップＳ６０８のＮＯ）、システム制御部１０１は、電池残量から換算された録音可能時間（第１の録音可能時間と称す）の送信を、ＩＣレコーダー３００に指示する。システム制御部１０１は、電池残量から換算された録音可能時間を、ＩＣレコーダー３００から取得する（ステップＳ６１０）。
【０１１３】
システム制御部１０１は、ＩＣレコーダー３００に、電池残量から換算した録音可能時間と記録メモリ（外部メモリ３０８）残量から換算した録音可能時間のうち、少ない方の録音可能時間（第２の録音可能時間と称す）をカメラ１０に送信するよう指示する。システム制御部１０１は、少ない方の録音可能時間（第２の録音可能時間）をＩＣレコーダー３００から取得する（ステップＳ６１２）。
【０１１４】
電池残量表示制御部１０１ｄは、ＩＣレコーダー電池残量表示メニューの設定に応じて、ＩＣレコーダー電池残量表示を行う（ステップＳ６１４）。
【０１１５】
電池残量表示制御部１０１ｄは、ＩＣレコーダー３００から取得した電池残量（％）の表示（ステップＳ６１６）、又はＩＣレコーダー３００から取得した電池残量から換算された録音可能時間の表示（ステップＳ６１８）、又はＩＣレコーダー３００から取得した録音可能時間（電池残量から換算した録音可能時間と記録メモリ残量から換算した録音可能時間のうち、少ない方の時間）の表示（ステップＳ６２０）のいずれかを行う。
【０１１６】
システム制御部１０１は、カメラ１０からＩＣレコーダー３００に給電されていると判断すると（ステップＳ６０８のＹＥＳ）、ＩＣレコーダー３００に録音可能時間として「ＮＯＮＥ」を送信するよう指示する。システム制御部１０１は、「ＮＯＮＥ」をＩＣレコーダー３００から取得する（ステップＳ６２２）。
【０１１７】
さらに、システム制御部１０１は、ＩＣレコーダー３００に、記録メモリ（外部メモリ３０８）残量から換算した録音可能時間を送信するよう指示する。システム制御部１０１は、記録メモリ残量から換算した録音可能時間をＩＣレコーダー３００から取得する（ステップＳ６２４）。図１６Ｂに進む。
【０１１８】
電池残量表示制御部１０１ｄは、ＩＣレコーダー電池残量表示メニューの設定に応じて、以下の表示を行う（ステップＳ６３０）。なお、カメラ１０の消費電力がＩＣレコーダー３００の消費電力に比べて十分に大きいので、ＩＣレコーダー３００への給電中には、（カメラ１０＋ＩＣレコーダー３００）における電池残量（％）は、カメラ１０単独の電池残量（％）とみなすことができる。また、（カメラ１０＋ＩＣレコーダー３００）における電池残量から換算した動画撮影可能時間も、同様に、カメラ１０単独の電池残量から換算した動画撮影可能時間とみなすことができる。
【０１１９】
電池残量表示制御部１０１ｄは、カメラ１０での電池残量（％）の表示（ステップＳ６３２）、又はカメラ１０の動画撮影可能時間（電池残量から換算した）の表示（ステップＳ６３４）、又はＩＣレコーダー３００の記録メモリ残量による録音可能時間と、カメラ１０の電池残量から換算した動画撮影可能時間のうち、少ない方の表示（ステップＳ６３６）のいずれかを行う。
【０１２０】
図１８は、電池残量表示メニューの例である。なお、図１８は、カメラ１０からＩＣレコーダー３００に給電されない場合の電池残量表示メニューの例である。また、カメラ１０からＩＣレコーダー３００に給電される場合の電池残量表示メニューも、基本的には図１８と同様であるので、図示は省略する。
【０１２１】
メニューＭＥ１０は、図１０のメニューＭＥ１と同じ画面である。メニューＭＥ１０で、動画表示設定が選択され右ボタンがクリックされると、メニューＭＥ１１に切換る。メニューＭＥ１１で、カメラ電池残量表示が選択され右ボタンがクリックされると、電池残量（％）の表示に設定する画面（メニューＭＥ１２）に切換る。メニューＭＥ１２で、ＯＫボタン１１９ｅがクリックされると、電池残量が％で表示される。なお、本例は、カメラ１０にパワーバッテリーホルダが装着されている場合である。
【０１２２】
メニューＭＥ１２で下ボタンがクリックされると、電池残量を動画撮影可能時間に換算した表示に設定する画面（メニューＭＥ１３）に切換る。動画撮影可能時間は、カメラとパワーバッテリーホルダ合計の電池残量から換算された時間である。
【０１２３】
メニューＭＥ１１で下ボタンでＩＣレコーダー電池残量表示が選択されると、メニューＭＥ１４に切換る。メニューＭＥ１４で、右ボタンがクリックされると、検出されたＩＣレコーダー３００の電池残量を％表示に設定する画面（メニューＭＥ１５）に切換る。これは、ステップＳ６１６で説明した電池残量（％）表示である。
【０１２４】
メニューＭＥ１５で下ボタンが押下されると、ＩＣレコーダーの電池残量を録音可能時間に換算した表示に設定する画面（メニューＭＥ１６）に切換る。すなわち、メニューＭＥ１６では、ＩＣレコーダーの電池残量として、ステップＳ６１８で説明した第１の録音可能時間の表示が設定される。
【０１２５】
さらに、メニューＭＥ１６で下ボタンがクリックされるか、あるいはメニューＭＥ１５で上ボタンがクリックされると、検出されたＩＣレコーダーの電池残量と記録メモリ残量から換算された録音可能時間のうち少ない方の録音可能時間が表示される（メニューＭＥ１７）すなわち、メニューＭＥ１７では、ＩＣレコーダーの電池残量として、ステップＳ６２０で説明した第２の録音可能時間の表示が設定される。
【０１２６】
図１６Ｂに戻る。システム制御部１０１は、マイク指向性連動メニューが設定されているかを判断する（ステップＳ６４０）。マイク指向性連動メニューとは、カメラ１０の画角に応じて、ＩＣレコーダー３００の指向性を連動させるか否かを設定するメニューである。マイク指向性連動メニューの詳細は、図３１Ｂで後述する。
【０１２７】
システム制御部１０１は、マイク指向性連動メニューが設定されていないと判断すると（ステップＳ６４０のＮＯ）、連動警告アイコンを表示部１２０の画面に表示しないで（ステップＳ６４６）、ステップＳ６４８に進む。
【０１２８】
システム制御部１０１は、マイク指向性連動メニューが設定されていると判断すると（ステップＳ６４０のＹＥＳ）、ホットシュー１３０からＩＣレコーダー３００にカメラ１０の画角を送信する（ステップＳ６４２）。また、システム制御部１０１は、連動警告アイコンを表示部１２０の画面に表示する（ステップＳ６４４）。連動警告アイコンは、図１９で説明する。
【０１２９】
また、ＩＣレコーダー３００のシステム制御部３０１は、カメラ１０からマイク指向性連動指示と画角が送信されてきた場合には、送信された画角に応じたマイク指向性を設定する。ＩＣレコーダー３００のシステム制御部３０１は、ホットシュー１３０からマイク指向性データをカメラ１０に送信する。システム制御部１０１は、ＩＣレコーダー３００からマイク指向性データを取得する（ステップＳ６４８）。システム制御部１０１は、表示部１２０の画面上に指向性ｄＢデータを表示する（ステップＳ６５０）。
【０１３０】
図１９は、表示部１２０に表示されるライブビュー画像Ｄ１の例である。ライブビュー画像には、ＩＣレコーダー３００のステータス情報として、電池残量表示、録音可能時間又はマイク指向性情報のうち少なくともひとつの情報が表示される。ライブビュー画像Ｄ１の左上に、カメラバッテリー情報ｄ１とＩＣレコーダーバッテリー情報ｄ２が表示される。図１９のカメラバッテリー情報ｄ１は、パワーバッテリーホルダが装着された状態で、電池残量に基づく動画撮影可能時間が９０分であることを示す。カメラバッテリー情報ｄ１とＩＣレコーダーバッテリー情報ｄ２は、電池残量表示制御部１０１ｄによって表示される。
【０１３１】
ＩＣレコーダー３００へ給電されていない場合には、カメラバッテリー情報ｄ１として、カメラ１０単独での「電池残量に基づく動画撮影可能時間」または「電池残量（％）」のいずれかが、電池残量表示メニューで選択されて表示される。システム制御部１０１は、電源制御部１１８により検出された電源部１１７（パワーバッテリーホルダを含む）の電池残量から、「電池残量に基づく動画撮影可能時間」又は「電池残量（％）」を算出する。
【０１３２】
また、図１６Ａで説明したように、ＩＣレコーダー３００へ給電されていない場合には、ＩＣレコーダーバッテリー情報ｄ２として、「電池残量％」、「電池残量から換算した録音可能時間」又は「電池残量から換算した録音可能時間と記録メモリ残量から換算した録音可能時間のうち、少ない方の録音可能時間」のいずれかが表示される。図１９のＩＣレコーダーバッテリー情報ｄ２は、ＩＣレコーダー３００で動画撮影可能時間が１４９０時間あること示す。
【０１３３】
ＩＣレコーダー３００へ給電されている場合には、カメラバッテリー情報ｄ１として撮像システム１（カメラ１０とＩＣレコーダー３００）全体の「電池残量％」又は「電池残量から換算した動画撮影可能時間」が表示される。システム制御部１０１は、電源制御部１１８により検出された電源部１１７（パワーバッテリーホルダを含む）の電池残量から、「電池残量％」や「電池残量に基づく動画撮影可能時間」を算出する。
【０１３４】
また、図１６Ｂで説明したように、ＩＣレコーダー３００へ給電されている場合には、カメラ１０の電源が支配的になる為、ＩＣレコーダーバッテリー情報ｄ２として、カメラ１０での「電池残量％」、カメラ１０の「電池残量から換算した動画撮影可能時間」、または「ＩＣレコーダー３００の記録メモリ残量による録音可能時間と、カメラ１０の電池残量による動画撮影可能時間のうち、短い方」の、いずれかが表示される。なお、ＩＣレコーダー３００へ給電されている場合には、カメラバッテリー情報ｄ１とＩＣレコーダーバッテリー情報ｄ２が、同一になる。
【０１３５】
システム制御部１０１は、電源制御部１１８により検出された電源部１１７（パワーバッテリーホルダを含む）の電池残量、及び予め記憶されたＩＣレコーダー３００の消費電力値に基づき、カメラ１０＋ＩＣレコーダー３００の「電池残量に基づく動画撮影可能時間」や「電池残量％」を算出する。
【０１３６】
図２０は、カメラバッテリー情報ｄ１とＩＣレコーダーバッテリー情報ｄ２の表示内容例を説明する表である。カメラバッテリー情報ｄ１では、パワーバッテリーホルダが付帯されている場合には、「ＰＢＨ」が付記される。「カメラ本体内」は、パワーバッテリーホルダが付帯されていない場合であり、「ＰＢＨ」は付記されない。
【０１３７】
図１９の右上のマークｄ３は、指向性連動警告アイコンである。また、マークｄ４は、ズームリングの回転方向を示す表示である。マークｄ５は、ズームレンズの焦点距離を示す。
【０１３８】
図２１は、指向性連動警告アイコンの内容を説明する表である。撮影者は、マークｄ３の表示の有無で、ＩＣレコーダー３００のマイク指向性がカメラ１０の画角変更に連動する設定になっているか否かを、判断することができる。
【０１３９】
また、図１９のグラフｄ６は、カメラ１０の画角とＩＣレコーダー３００のマイク指向特性の関係を示すグラフである。グラフｄ６のセンタが撮影位置である。マークｄ７は、カメラの画角による撮影範囲を示す。マークｄ８は、マイクの指向性を示すカーブである。なお、指向性連動警告アイコンやマイク指向特性を、マイク指向性情報とも呼ぶ。
【０１４０】
図１９のｄ１１〜ｄ１８は、画面中央のｄ１０を基準（０ｄＢ）とした場合の、各位置での相対的なマイクの指向感度である。ｄ１１は、画面中央右端におけるマイク指向感度である。マイク指向感度が、画面中央右端の位置では、中央値（０ｄＢ）に比べて、−０．３ｄＢ低下することを示す。ｄ１２は、画面中央右側で画面外の２倍の画角でのマイクの指向感度である。この位置では、マイク指向感度が、中央値（０ｄＢ）に比べて、−３ｄＢ低下することを示す。
【０１４１】
ｄ１３は、画面中央左端でのマイクの指向感度である。ｄ１４は、画面中央左側で画面外の２倍の画角でのマイクの指向感度である。ｄ１５は、画面中央上端でのマイクの指向感度である。ｄ１６は、画面中央上側で画面外の２倍の画角でのマイクの指向感度である。ｄ１７は、画面中央下端でのマイクの指向感度である。ｄ１８は、画面中央下側で画面外の２倍の画角でのマイクの指向感度である。以上のようにして、ユーザーは撮影画面に対比して、集音マイクの集音方向と範囲が適切であるかを直感的に認識することが可能となる。
【０１４２】
図２２は、ＩＣレコーダー３００のマイクの指向性グラフの例である。ｄ７とｄ８は、図１９と同様に、カメラの画角による撮影範囲と指向性のカーブを示す。左のグラフが、無指向性のカーブである。中央のグラフが、単一指向性のカーブである。右のグラフが、双指向性のカーブである。
【０１４３】
図１５に戻る。システム制御部１０１は、スレートトーン処理を行う（ステップＳ５０２）。図２３は、スレートトーン処理（その１）を説明するサブルーチンである。システム制御部２３０は、スレートトーン機能ボタン１１９ｆが押下されたかを判断する（ステップＳ７００）。システム制御部１０１は、スレートトーン機能ボタン１１９ｆが押下されていないと判断すると（ステップＳ７００のＮＯ）、スレートトーン処理（その１）を終了する。
【０１４４】
システム制御部２３０は、スレートトーン機能ボタン１１９ｆが押下されたと判断すると（ステップＳ７００のＹＥＳ）、スレートトーン制御部１０１ｅは「スレートトーン」メニューの設定に応じて、対応する以下の処理を行う（ステップＳ７０２）。「スレートトーン」メニューの具体例は、図３１Ａで説明する。
【０１４５】
スレートトーン制御部１０１ｅは、「スレートトーン」メニューの設定がオフ（Ｏｆｆ）の場合には、スレートトーン処理を終了する。スレートトーン制御部１０１ｅは、「スレートトーン」メニューの設定が「Ｏｎ１」の場合には、ホットシュー１３０のＴＸＤ端子１３０ｂからスレートトーンコマンド１をＩＣレコーダー３００に送信する（ステップＳ７０４）。「Ｏｎ１」は、ＩＣレコーダー側がスレートトーンを出力するモードである。
【０１４６】
図２４は、スレートトーン処理（その１）の「Ｏｎ１」の処理を示すタイミングチャートである。カメラ１０でスレートトーン機能ボタン１１９ｆが押下されると、ＴＸＤ端子１３０ｂからスレートトーンコマンド１がＩＣレコーダー３００に送信される。ＩＣレコーダー３００の通信制御部３１３はスレートトーンコマンド１を受信する。ＩＣレコーダー３００のシステム制御部３０１は、スレートトーンコマンド１のエンドビットに同期してスレートトーン（ビープ音とも称す）を発生させる。
【０１４７】
ＩＣレコーダー３００のシステム制御部３０１は、発生させたスレートトーンをＩＣレコーダー３００に記録する音声データに挿入する。同時に、システム制御部３０１は、発生させたスレートトーンをライン出力部３１０からカメラ１０に出力する音声信号にも挿入する。
【０１４８】
カメラ１０のラインイン入力部１２５の端子に、スレートトーンが挿入された音声信号が入力される。これにより、カメラ１０の音声記録制御部１０１ａによって記録される動画音声のデータに、スレートトーンが挿入される。これにより、後の編集工程で、このスレートトーンに同期させて、例えばＩＣレコーダー３００で記録されている高品質のＰＣＭ録音データをカメラ１０の動画音声データに置き換えをすることで、時間ずれのない高音質音声への置換えが容易にできる。
【０１４９】
また、カメラ１０がスレートトーンを手軽に発生させる方法として、スレートトーン機能ボタン１１９ｆが押されると、カメラがスピーカ１２３からビープ音を発音するように構成しても良い。スレートトーン処理（その１）の「Ｏｎ２」がその例である。図２５は、スレートトーン処理（その１）の「Ｏｎ２」の処理を示すタイミングチャートである。システム制御部１０１は、カメラ１０でスレートトーン機能ボタン１１９ｆが押下されたことを検知すると、スレートトーン制御部１０１ｅは、カメラのスピーカ１２３からスレートトーンを出力する（ステップＳ７０６）。これにより、カメラ１０及びＩＣレコーダー３００の両方で、カメラのスピーカ１２３から発せられたスレートトーンが記録される。
【０１５０】
カメラ１０は、内部マイク１２４、またはラインイン入力部１２５に接続された外部マイクを通じて自ら発生したビープ音を動画に録音する。もちろん、内部マイク１２４やラインイン入力部１２５を経由することは必須ではなく、直接録音しても良い。「Ｏｎ２」の処理によれば、ＩＣレコーダー３００がカメラ１０に接続されていない場合でも、ＩＣレコーダー３００がスレートトーンを録音することが可能になる。
【０１５１】
図２６は、スレートトーン処理（その２）を説明するサブルーチンである。システム制御部１０１は、スレートトーン機能ボタン１１９ｆが押下されたかを判断する（ステップＳ７２０）。システム制御部２３０は、スレートトーン機能ボタン１１９ｆが押下されていないと判断すると（ステップＳ７２０のＮＯ）、スレートトーン処理（その２）を終了する。
【０１５２】
システム制御部１０１は、スレートトーン機能ボタン１１９ｆが押下されたと判断すると（ステップＳ７２０のＹＥＳ）、スレートトーン制御部１０１ｅは「スレートトーン」メニューの設定に応じて、対応する以下の処理を行う（ステップＳ７２２）。システム制御部１０１は、「スレートトーン」メニューの設定がオフ（Ｏｆｆ）の場合には、スレートトーン処理（その２）を終了する。
【０１５３】
スレートトーン制御部１０１ｅは、「スレートトーン」メニューの設定が「Ｏｎ１」の場合には、ホットシュー１３０のＴＸＤ端子１３０ｂからスレートトーンコマンド１をＩＣレコーダー３００に送信する（ステップＳ７２４）。ステップＳ７２４による処理は、図２３のステップＳ７０４と同じであるので、説明は省略する。
【０１５４】
スレートトーン制御部１０１ｅは、「スレートトーン」メニューの設定が「Ｏｎ２」の場合には、ホットシュー１３０のＴＸＤ端子１３０ｂからスレートトーンコマンド２をＩＣレコーダー３００に送信する（ステップＳ７２６）。
【０１５５】
図２７は、スレートトーン処理（その２）の「Ｏｎ２」処理を示すタイミングチャートである。スレートトーン制御部１０１ｅは、スレートトーン機能ボタン１１９ｆが押下されると、ＴＸＤ端子１３０ｂからスレートトーンコマンド２をＩＣレコーダー３００に送信する。ＩＣレコーダー３００のシステム制御部３０１は、スレートトーンコマンド２を受信すると、そのエンドビットに同期してスレートトーン（ビープ音）波形を生成する。
【０１５６】
システム制御部３０１は、生成したスレートトーンを集音した音声信号に挿入して、外部メモリ３０８に録音する。また、カメラ１０のスレートトーン制御部１０１ｅも、スレートトーンを生成し、ＩＣレコーダー３００から出力された音声信号（スレートトーンは挿入されていない）に、生成したスレートトーンを挿入して、外部メモリ１２１に録音する。  
【０１５７】
スレートトーン処理（その２）は、カメラ１０が、実際に発音する代わりにスレートトーンコマンド２をＩＣレコーダー３００に発する例である。スレートトーン処理（その１）のＯｎ２の処理は、コンサート会場など大きな音声が流れる環境では、カメラのスピーカで発音したスレートトーンが有効に記録できない場合もある。対して、スレートトーン処理（その２）は、実際の音をスレートトーンに使用する方式ではないので、騒音の大きな環境でも対応できる。
また、スレートトーンコマンド２は、ＴＸＤ端子１３０ｂを経由して送信すると説明したが、これにかぎることはなく、無線で送信してもよい。スレートトーンコマンド１は有線接続を前提としているが、スレートトーンコマンド２は、有線無線いずれでもよい。
【０１５８】
図１５に戻る。システム制御部１０１は、その他のライブビュー表示処理を行い（ステップＳ５０４）、図５のメインフローに戻る。  
【０１５９】
システム制御部１０１は、動画ボタン１１９ｃがオンされたかを判断する（ステップＳ４２）。システム制御部１０１は、動画ボタン１１９ｃがオンされていないと判断すると（ステップＳ４２のＮＯ）、ステップＳ５２に進む。システム制御部１０１は、動画ボタンがオンされたと判断すると（ステップＳ４２のＹＥＳ）、動画撮影処理を行う（ステップＳ５０）。
【０１６０】
図２８は、動画撮影処理のサブルーチンである。システム制御部１０１は、ＩＣレコーダーステータス表示処理を行う（ステップＳ８００）。ＩＣレコーダーステータス表示処理は、図１６Ａ及び図１６Ｂで説明した処理である。
【０１６１】
次に、システム制御部１０１は、スレートトーン処理を行う（ステップＳ８０２）。スレートトーン処理は、図２３〜図２７で説明した処理である。システム制御部１０１は、その他の動画撮影処理を行う（ステップＳ８０４）。図５のメインフローに戻る。
【０１６２】
システム制御部１０１は、１ｓｔレリーズがオンされたかを判断する（ステップＳ５２）。システム制御部１０１は、１ｓｔレリーズがオンされていないと判断すると（ステップＳ５２のＮＯ）、ステップＳ１０に戻る。システム制御部１０１は、１ｓｔレリーズがオンされたと判断すると（ステップＳ５２のＹＥＳ）、２ｎｄレリーズがオンされたかを判断する（ステップＳ５４）。システム制御部１０１は、２ｎｄレリーズがオンされていないと判断すると（ステップＳ５４のＮＯ）、ステップＳ１０に戻る。
【０１６３】
システム制御部１０１は、２ｎｄレリーズがオンされたと判断すると（ステップＳ５４のＹＥＳ）、静止画撮影処理を行う（ステップＳ５６）。システム制御部１０１は、パワーオフの指示がされたかを判断する（ステップＳ５８）。システム制御部１０１は、パワーオフの指示がされていないと判断すると（ステップＳ５８のＮＯ）、ステップＳ１０に戻る。システム制御部１０１は、パワーオフの指示がされたと判断すると（ステップＳ５８のＹＥＳ）、終了処理を行う
【０１６４】
次に、カメラ１０の表示部に表示されるメニュー表示例を説明する。図２９は、録音レベル調整メニューである。ムービー録音設定メニュー（メニューＭＥ２０）で、録音レベル調整が選択され、右ボタンがクリックされると、録音レベル調整メニュー（メニューＭＥ２１）に切換る。録音レベル調整メニューで内蔵マイクが選択され右ボタンがクリックされると、内蔵マイク録音レベル調整メニュー（メニューＭＥ２２）に切換る。マイク録音レベルの設定値ｄ２０は、設定された録音レベルの値である。十字ボタン１１９ｄの操作によって、マイク録音レベルｄ２１の＋１０〜−１０間で、録音レベルを設定する。
【０１６５】
また、レベルバーｄ２２は、実際のマイクからの音レベルを動的に示す。バー表示の先頭セグメントは音圧の最高レベルを示す。レベルバーｄ２２で、先頭セグメントは、音圧が小さくなっても所定時間そこにとどまる。レベルバーｄ２２を見ながら、音が小さすぎないか、大きすぎて音割われしていないかを判断し、十字ボタン（上・下）１１９ｄを押しながら、マイク録音レベルが適正な値に設定される。
【０１６６】
録音レベル調整メニュー（メニューＭＥ２１）で、下ボタンがクリックされると、外部マイクに切換る（メニューＭＥ２３）。録音レベル調整メニュー（メニューＭＥ２３）で、右ボタンがクリックされると、外部マイク録音レベル調整メニュー（メニューＭＥ２４）に切換る。メニューＭＥ２４に表示されるマイク録音レベルの設定値ｄ２０等は、内蔵マイク録音レベル調整メニュー（メニューＭＥ２２）と同じである。
【０１６７】
図３０は、マイク入力リミッターの設定メニューである。ムービー録音設定メニュー（メニューＭＥ３０）で、マイク入力リミッターが選択され、右ボタンがクリックされると、マイク入力リミッターをオンに設定するメニュー（メニューＭＥ３１）に切換る。ＯＫボタン１１９ｅがクリックされると、マイク入力リミッターがオンに設定される。メニューＭＥ３１で下ボタンがクリックされると、マイク入力リミッターメニューをオフに設定するメニュー（メニューＭＥ３２）に切換る。
【０１６８】
図３１Ａ及び図３１Ｂは、ＩＣレコーダー接続時に、各条件を設定するメニューである。ムービー録音設定メニュー（メニューＭＥ４０）で、ＩＣレコーダー接続が選択され、右ボタンがクリックされると、ＩＣレコーダー接続メニュー（メニューＭＥ４１）に切換る。
【０１６９】
ＩＣレコーダー接続メニュー（メニューＭＥ４１）で、「ＩＣレコーダー用セット」メニューｔ１０が選択され、右ボタンがクリックされると、ＩＣレコーダー用セットを無効に設定するメニューＭＥ４２に切換る。メニューＭＥ４２で下ボタンがクリックされると、ＩＣレコーダー用セットを有効に設定するメニューＭＥ４３に切換る。
【０１７０】
また、ＩＣレコーダー接続メニュー（メニューＭＥ４４）で、「スレートトーン」メニューｔ１１が選択され、右ボタンがクリックされると、スレートトーンをＯｎ１に設定するメニューＭＥ４５に切換る。メニューＭＥ４５で下ボタンがクリックされると、スレートトーンをＯｎ２に設定するメニューＭＥ４６に切換る。メニューＭＥ４５で上ボタンあるいはメニューＭＥ４６で下ボタンがクリックされると、スレートトーンをＯｆｆに設定するメニューＭＥ４７に切換る。
【０１７１】
また、メニューＭＥ４４で下ボタンがクリックされると、図３１ＢのメニューＭＥ４８に切換る。ＩＣレコーダー接続メニュー（メニューＭＥ４８）で、「ＲＥＣ同期」メニューｔ１２が選択され、右ボタンがクリックされると、ＲＥＣ同期をオンに設定するメニューＭＥ４７に切換る。メニューＭＥ４７で下ボタンがクリックされると、ＲＥＣ同期をオフに設定するメニューＭＥ５０に切換る。
【０１７２】
また、ＩＣレコーダー接続メニュー（メニューＭＥ５１）で、「マイク指向性連動」メニューｔ１３が選択され、右ボタンがクリックされると、マイク指向性連動をオンに設定するメニューＭＥ５２に切換る。メニューＭＥ５２で下ボタンがクリックされると、マイク指向性連動をオフに設定するメニューＭＥ５３に切換る。
【０１７３】
また、ＩＣレコーダー接続メニュー（メニューＭＥ５４）で、「ＩＣレコーダー給電」メニューｔ１４が選択され、右ボタンがクリックされると、ＩＣレコーダー給電をオンに設定するメニューＭＥ５５に切換る。メニューＭＥ５５で下ボタンがクリックされると、ＩＣレコーダー給電をオフに設定するメニューＭＥ５６に切換る。
【０１７４】
以上説明した本実施形態による撮像システム１によれば、接続されたＩＣレコーダーに対するカメラの設定が、経験者でなくても、簡単にできる。また、ＩＣレコーダー用の設定が一括して行われるので、設定に要する時間も不要になる。カメラに高音質記録機能を内蔵させるのは、コスト的に容易でないが、ＩＣレコーダーで音質の音声を記録しておき、撮影後にカメラで記録した音声に置き換えれば、高音質の動画音声を取得することができる。
・本実施形態によれば、ＩＣレコーダー接続中には、録音条件の中でＩＣレコーダー用に固定すべき条件が、変更不可に設定されるので、録音条件の設定ミスを容易に防止することができる。また、ＩＣレコーダー用に固定された条件は、他の条件と識別可能に表示されるので、撮影者が操作で戸惑うことも防止される。  
・また、本実施形態によれば、カメラへのＩＣレコーダーの装着が自動検出されるので、ＩＣレコーダーの装着の設定を手動で行う必要もない。
・また、カメラからＩＣレコーダーへの電源供給が行われるので、ＩＣレコーダーで電池残量不足で記録できなくなることが防止される。さらに、カメラにＩＣレコーダーの電池残量が表示されるので、ＩＣレコーダーの電池残量の監視が容易になる。
・カメラのホットシューにＩＣレコーダーが装着されるので、ＩＣレコーダーが安定して保持される。
【０１７５】
なお、カメラ１０のシステム制御部１０１は、プログラムを読込んだＣＰＵによるソフトウェア処理で実現されると説明したが、一部あるいは全部をハードウェアで実現してもよい。
【０１７６】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用ができることはもちろんである。
【符号の説明】
【０１７７】
１    撮像システム
１０    カメラ  撮像装置
１００    カメラ本体
１０１      システム制御部
１０１ａ      音声記録制御部
１０１ｂ      外部機器検出部
１０１ｃ      設定制御部
１０１ｄ      電池残量表示制御部
１０１ｅ      スレートトーン制御部
１１７        電源部
１１８        電源制御部
１１９      操作部
１１９ａ      レリーズボタン
１１９ｂ      撮影モードダイヤル
１１９ｃ      動画ボタン
１１９ｄ      十字ボタン
１１９ｅ      ＯＫボタン
１１９ｆ      スレートトーン機能ボタン
１２１      外部メモリ
１２２      不揮発性メモリ
１２３      スピーカ
１２５      ライン入力部
１３１      外部機器制御部
１３０      ホットシュー
２００    レンズ部
３００    ＩＣレコーダー
３０１      システム制御部
３０８      外部メモリ
３１０      ライン出力部
３１１      電源部
３１２      電源制御部
３１３      通信制御部
【図１】
2019208131.tif 000003
【図２Ａ】
2019208131.tif 000004
【図２Ｂ】
2019208131.tif 000005
【図３】
2019208131.tif 000006
【図４】
2019208131.tif 000007
【図５】
2019208131.tif 000008
【図６】
2019208131.tif 000009
【図７】
2019208131.tif 000010
【図８】
2019208131.tif 000011
【図９】
2019208131.tif 000012
【図１０】
2019208131.tif 000013
【図１１】
2019208131.tif 000014
【図１２】
2019208131.tif 000015
【図１３】
2019208131.tif 000016
【図１４】
2019208131.tif 000017
【図１５】
2019208131.tif 000018
【図１６Ａ】
2019208131.tif 000019
【図１６Ｂ】
2019208131.tif 000020
【図１７】
2019208131.tif 000021
【図１８】
2019208131.tif 000022
【図１９】
2019208131.tif 000023
【図２０】
2019208131.tif 000024
【図２１】
2019208131.tif 000025
【図２２】
2019208131.tif 000026
【図２３】
2019208131.tif 000027
【図２４】
2019208131.tif 000028
【図２５】
2019208131.tif 000029
【図２６】
2019208131.tif 000030
【図２７】
2019208131.tif 000031
【図２８】
2019208131.tif 000032
【図２９】
2019208131.tif 000033
【図３０】
2019208131.tif 000034
【図３１Ａ】
2019208131.tif 000035
【図３１Ｂ】
2019208131.tif 000036